(57)【要約】【課題】ある時点で最も必要とされる機能を他の機能よりも優先させて起動させる画像形成装置を提供する。【解決手段】画像形成装置は、機能の起動に関する情報を記憶する第１記憶部１００と、複数の機能を起動させる場合等において情報を記憶する第２記憶部１１０と、複数の機能が起動していないときに複数の機能それぞれに対応する起動トリガーが発生すると、発生した起動トリガーを検出する検出部９１と、検出部９１によって検出された起動トリガーに対応する機能を特定する特定部９２と、特定部９２によって特定された機能に対応する情報を、その特定された機能に対応する情報を除く他の情報よりも優先させて第１記憶部１００から読み出して第２記憶部１１０にＤＭＡ転送し、ＤＭＡ転送した情報を第２記憶部１１０に記憶させるＤＭＡ制御部と、第２記憶部１１０に記憶された情報に基づいて機能を起動させる起動制御部９３と、を備える。【選択図】図２
2013136168.tif 000002
【特許請求の範囲】
【請求項１】
複数の機能を備える画像形成装置であって、
前記複数の機能それぞれに対応し、その対応する機能の起動に関する情報を記憶する第１記憶部と、
前記複数の機能を起動させる場合及び前記複数の機能が起動している場合に、情報を記憶する第２記憶部と、
前記複数の機能が起動していないときに前記複数の機能それぞれに対応する起動トリガーが発生すると、発生した起動トリガーを検出する検出部と、
前記検出部によって検出された前記起動トリガーに対応する機能を特定する特定部と、
前記特定部によって特定された機能に対応する情報を、その特定された機能に対応する情報を除く他の情報よりも優先させて前記第１記憶部から読み出して前記第２記憶部にＤＭＡ（Ｄｉｒｅｃｔ  Ｍｅｍｏｒｙ  Ａｃｃｅｓｓ）転送し、ＤＭＡ転送した情報を前記第２記憶部に記憶させるＤＭＡ制御部と、
前記第２記憶部に記憶された情報に基づいて機能を起動させる起動制御部と、
を備える画像形成装置。
【請求項２】
前記複数の機能が停止する場合に、前記第２記憶部に記憶される情報を読み出して前記第１記憶部に記憶させる記憶制御部をさらに備える
請求項１に記載の画像形成装置。
【請求項３】
前記第１記憶部は、不揮発性の記憶部であり、
前記第２記憶部は、揮発性の記憶部である
請求項１又は２に記載の画像形成装置。
【請求項４】
前記複数の機能に関するキーを表示するタッチパネルと、
データが伝送される公衆通信回線に接続される通信部と、
データが伝送されるＬＡＮ（Ｌｏｃａｌ  Ａｒｅａ  Ｎｅｔｗｏｒｋ）に接続されるインターフェイス部と、をさらに備え、
前記起動トリガーは、前記タッチパネルに表示される前記キーが操作された場合、前記通信部によってデータを受信した場合、及び、前記インターフェイス部によってデータを受信した場合に発生する
請求項１から３のいずれかに記載の画像形成装置。
【発明の詳細な説明】
【技術分野】
【０００１】
本発明は、被画像形成媒体に画像を形成する機能を含む種々の機能を備える画像形成装置に関する。
【背景技術】
【０００２】
複合機等の画像形成装置には、プログラム及びデータ（プログラム等）を記憶する不揮発性の第１記憶部と、ＣＰＵ（Ｃｅｎｔｒａｌ  Ｐｒｏｃｅｓｓｉｎｇ  Ｕｎｉｔ）によって利用されるために、第１記憶部から転送されたプログラム等を一時的に記憶する揮発性の第２記憶部とを備えるものがある。このような画像形成装置のＣＰＵは、例えば、電源を投入する操作が行われた場合、又は画像を形成することができないスリープモードから復帰する操作が行われた場合に、第１記憶部に記憶されるプログラム等を第２記憶部に転送するようになっている。
【０００３】
ここで、例えば、パーソナルコンピューター等には、それが起動されることにより不揮発性の記憶部から揮発性の記憶部にデータを展開する場合に、スナップショットイメージを展開するものがある（特許文献１参照）。
【先行技術文献】
【特許文献】
【０００４】
【特許文献１】特開２００９−１７６１５１号公報
【発明の概要】
【発明が解決しようとする課題】
【０００５】
上述した画像形成装置では、例えば、電源を投入する操作が行われた場合、及びスリープモードから復帰させる操作が行われた場合でも、第１記憶部に記憶された機能の起動に関するプログラム等の全てが第２記憶部に転送されるまで、ユーザーは、全ての機能を使用することができなかった。すなわち、画像形成装置においては、ユーザーが使用を所望する機能（ある時点で最も必要とされる機能）をより速く起動させることが望まれる。
【０００６】
また、画像形成装置は、コピー機能、プリンター機能、ファクシミリ機能及びスキャン機能を含む種々の機能を有しており、例えば、多数の機能毎にプログラム等を備えている。このため、特許文献１に記載される発明を画像形成装置に適用した場合でも、画像形成装置は、多数のプログラム等を備えているため、その多数のプログラムの全てを第２記憶部に展開させるまで時間がかかることになる。この場合でも、ユーザーは、プログラムの全てが第１記憶部から第２記憶部に展開されるまで待たされることになる。すなわち、この点からも、画像形成装置は、ユーザーが使用を所望する機能（ある時点で最も必要とされる機能）をより速く起動させることが望まれる。
【０００７】
本発明は、ある時点で最も必要とされる機能を他の機能よりも優先させて起動させる画像形成装置を提供することを目的とする。
【課題を解決するための手段】
【０００８】
本発明は、複数の機能を備える画像形成装置であって、前記複数の機能それぞれに対応し、その対応する機能の起動に関する情報を記憶する第１記憶部と、前記複数の機能を起動させる場合及び前記複数の機能が起動している場合に、情報を記憶する第２記憶部と、前記複数の機能が起動していないときに前記複数の機能それぞれに対応する起動トリガーが発生すると、発生した起動トリガーを検出する検出部と、前記検出部によって検出された前記起動トリガーに対応する機能を特定する特定部と、前記特定部によって特定された機能に対応する情報を、その特定された機能に対応する情報を除く他の情報よりも優先させて前記第１記憶部から読み出して前記第２記憶部にＤＭＡ（Ｄｉｒｅｃｔ  Ｍｅｍｏｒｙ  Ａｃｃｅｓｓ）転送し、ＤＭＡ転送した情報を前記第２記憶部に記憶させるＤＭＡ制御部と、前記第２記憶部に記憶された情報に基づいて機能を起動させる起動制御部と、を備える画像形成装置に関する。
【０００９】
また、画像形成装置は、前記複数の機能が停止する場合に、前記第２記憶部に記憶される情報を読み出して前記第１記憶部に記憶させる記憶制御部をさらに備えることが好ましい。
【００１０】
また、前記第１記憶部は、不揮発性の記憶部であり、前記第２記憶部は、揮発性の記憶部であることが好ましい。
また、画像形成装置は、前記複数の機能に関するキーを表示するタッチパネルと、データが伝送される公衆通信回線に接続される通信部と、データが伝送されるＬＡＮ（Ｌｏｃａｌ  Ａｒｅａ  Ｎｅｔｗｏｒｋ）に接続されるインターフェイス部と、をさらに備え、前記起動トリガーは、前記タッチパネルに表示される前記キーが操作された場合、前記通信部によってデータを受信した場合、及び、前記インターフェイス部によってデータを受信した場合に発生することが好ましい。
【発明の効果】
【００１１】
本発明によれば、ある時点で最も必要とされる機能を他の機能よりも優先させて起動させる画像形成装置を提供することができる。
【図面の簡単な説明】
【００１２】
【図１】画像形成装置の一実施形態に係る複合機の全体構成を説明するための図である。
【図２】複合機の機能を説明するための図である。
【図３】複合機の動作について説明するためのフローチャートである。
【発明を実施するための形態】
【００１３】
以下、図面を参照して、本発明の画像形成装置の一実施形態に係る複合機について説明する。まず、複合機１の全体構成について説明する。図１は、画像形成装置の一実施形態に係る複合機１の全体構成を説明するための図である。
【００１４】
複合機１は、複数の機能（例えば、コピー機能、ファクシミリ機能、スキャン機能及びプリンター機能等）を備える。それらの機能を実行するために、複合機１は、図１に示すように、原稿搬送部１０と、原稿読取部２０と、用紙搬送部３０と、画像形成部４０と、転写部５０と、定着部６０とを備える。
原稿搬送部１０は、ＡＤＦ（Ａｕｔｏｍａｔｉｃ  Ｄｏｃｕｍｅｎｔ  Ｆｅｅｄｅｒ）であり、原稿載置部１１と、第１送りローラー１２と、ガイド１３と、タイミングローラー対１４と、原稿排出部１５とを備える。第１送りローラー１２は、原稿載置部１１に載置された原稿Ｇを１枚ずつ順にタイミングローラー対１４に供給する。タイミングローラー対１４は、原稿読取部２０が原稿Ｇの画像を読み取るタイミングと、原稿Ｇの画像が原稿読取部２０によって読み取られる位置（ガイド１３が配置されている位置）に原稿Ｇを供給するタイミングとを合わせるために、原稿Ｇの搬送又は原稿Ｇの搬送停止を行う。ガイド１３は、搬送された原稿Ｇを後述する第１読取面２１ａに導く。原稿排出部１５は、原稿読取部２０によって画像が読み取られた（ガイド１３を通過した）原稿Ｇを複合機本体２の外部に排出する。
原稿排出部１５における複合機本体２の外側には、原稿集積部１６が形成される。原稿集積部１６には、原稿排出部１５から排出された原稿Ｇが積層して集積される。
【００１５】
原稿読取部２０は、第１読取面２１ａと、第２読取面２２ａとを備える。第１読取面２１ａは、ガイド１３に対向して配置された第１コンタクトガラス２１の上面に沿って形成され、原稿Ｇの画像を読み取る面となる。第２読取面２２ａは、第１読取面２１ａに隣接して（図１に示す場合では、第１読取面２１ａの右側の大部分に亘って）配置される。第２読取面２２ａは、原稿搬送部１０を用いずに原稿Ｇの画像を読み取る場合に用いられる。第２読取面２２ａは、原稿Ｇが載置される第２コンタクトガラス２２の上面に沿って形成され、原稿Ｇの画像を読み取る面となる。
【００１６】
また、原稿読取部２０は、照明部２３と、第１ミラー２４と、第２ミラー２５と、第３ミラー２６と、結像レンズ２７と、撮像部２８とを複合機本体２の内部に備える。照明部２３と第１ミラー２４とは、それぞれ副走査方向Ｘに移動する。第２ミラー２５と第３ミラー２６とは、図１において照明部２３及び第１ミラー２４の左側に配置される。さらに、第２ミラー２５及び第３ミラー２６は、第１ミラー２４と、第２ミラー２５と、第３ミラー２６と、結像レンズ２７とを介した第１読取面２１ａ又は第２読取面２２ａから撮像部２８までの距離（光路長）を一定に保ちつつ、それぞれ副走査方向Ｘに移動する。
【００１７】
照明部２３は、原稿Ｇに光を照射する光源である。第１ミラー２４、第２ミラー２５及び第３ミラー２６は、光路長を一定に保ちつつ、原稿Ｇによって反射された光を結像レンズ２７に導くためのミラーである。結像レンズ２７は、第３ミラー２６から入射した光を撮像部２８に結像させる。撮像部２８は、入射された光を電気信号に変換することにより、結像された光像に基づいて画像データを得るための撮像素子であり、例えば、ＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）等のイメージセンサーである。
【００１８】
用紙搬送部３０は、第２送りローラー３１と、第３送りローラー３２と、レジストローラー対３３と、用紙排出部３４とを備える。第２送りローラー３１は、給紙カセット３６に収容される用紙Ｔ（被画像形成媒体）を転写部５０に供給する。第３送りローラー３２は、手差しトレイ３７に載置される用紙Ｔ（被画像形成媒体）を転写部５０に供給する。レジストローラー対３３は、転写部５０にトナー画像が到達するタイミングと、転写部５０に用紙Ｔを供給するタイミングとを合わせるために、用紙Ｔの搬送又は用紙Ｔの搬送停止を行う。また、レジストローラー対３３は、用紙Ｔのスキュー（斜め給紙）補正を行う。用紙排出部３４は、トナー画像が定着された用紙Ｔを複合機本体２の外部に排出する。
用紙排出部３４における複合機本体２の外側には、排紙集積部３５が形成される。排紙集積部３５には、用紙排出部３４から排出された用紙Ｔが積層して集積される。
【００１９】
画像形成部４０は、トナー画像を形成するためのものであり、感光体ドラム４１と、帯電部４２と、レーザースキャナーユニット４３と、現像器４４と、クリーニング部４５と、トナーカートリッジ４６と、１次転写ローラー４７と、中間転写ベルト４８と、対向ローラー４９とを備える。
感光体ドラム４１（４１ａ，４１ｂ，４１ｃ，４１ｄ）は、ブラック、シアン、マゼンタ及びイエローそれぞれのトナー画像を形成するために、感光体又は像担持体として機能する。各感光体ドラム４１ａ，４１ｂ，４１ｃ，４１ｄの周囲には、感光体ドラム４１の回転方向に沿って上流側から下流側へ順に、帯電部４２と、レーザースキャナーユニット４３と、現像器４４と、クリーニング部４５とが配置される。帯電部４２は、感光体ドラム４１の表面を帯電させる。レーザースキャナーユニット４３は、感光体ドラム４１の表面から離れて配置され、原稿読取部２０によって読み取られた原稿Ｇに関する画像データに基づいて感光体ドラム４１の表面を走査露光する。これにより、感光体ドラム４１の表面には、露光された部分の電荷が除去されて静電潜像が形成される。現像器４４は、感光体ドラム４１の表面に形成された静電潜像にトナーを付着させてトナー画像を形成する。クリーニング部４５は、除電器（図示せず）によって感光体ドラム４１の表面が除電された後のその表面に残るトナー等を除去する。
トナーカートリッジ４６は、現像器４４に供給される各色のトナーを収容する。トナーカートリッジ４６と現像器４４とは、トナー供給路（図示せず）により接続されている。
【００２０】
１次転写ローラー４７（４７ａ，４７ｂ，４７ｃ，４７ｄ）は、中間転写ベルト４８における各感光体ドラム４１ａ，４１ｂ，４１ｃ，４１ｄとは反対側にそれぞれ配置される。中間転写ベルト４８は、画像形成部４０及び転写部５０を通過するベルトである。中間転写ベルト４８の一部分は、各感光体ドラム４１ａ，４１ｂ，４１ｃ，４１ｄと各１次転写ローラー４７ａ，４７ｂ，４７ｃ，４７ｄとの間に挟み込まれ、各感光体ドラム４１ａ，４１ｂ，４１ｃ，４１ｄの表面に形成されたトナー画像が１次転写される。対向ローラー４９は、環状形状の中間転写ベルト４８の内側に配置され、中間転写ベルト４８を図１に示す矢印Ａ方向に進行させるための駆動ローラーである。
【００２１】
転写部５０は、２次転写ローラー５１を備える。２次転写ローラー５１は、中間転写ベルト４８に関して対向ローラー４９とは反対側に配置され、中間転写ベルト４８の一部分を対向ローラー４９との間に挟みこむ。さらに、２次転写ローラー５１は、中間転写ベルト４８に１次転写されたトナー画像を用紙Ｔに２次転写させる。
【００２２】
定着部６０は、加熱回転体６１と、加圧回転体６２とを備える。加熱回転体６１と加圧回転体６２とは、トナー画像が２次転写された用紙Ｔを挟み込んで、トナーを溶融及び加圧し、そのトナーを用紙Ｔに定着させる。
【００２３】
次に、複合機１の機能構成について説明する。図２は、複合機１の機能を説明するための図である。
上述した構成要素（原稿搬送部１０、原稿読取部２０、用紙搬送部３０、画像形成部４０、転写部５０及び定着部６０）は、バス１５０に接続される。なお、用紙搬送部３０、画像形成部４０、転写部５０及び定着部６０によりエンジン部３が構成される。なお、図１を用いて説明した構成要素については、その説明を省略する。
【００２４】
さらに、複合機１は、上述した機能構成に加えて、操作部７０と、第１記憶部１００と、第２記憶部１１０と、通信部１２０と、インターフェイス部１３０と、ＣＰＵ（Ｃｅｎｔｒａｌ  Ｐｒｏｃｅｓｓｉｎｇ  Ｕｎｉｔ）９０と、ＤＭＡ（Ｄｉｒｅｃｔ  Ｍｅｍｏｒｙ  Ａｃｃｅｓｓ）制御部１４０と、を備える。操作部７０、第１記憶部１００、第２記憶部１１０、通信部１２０、インターフェイス部１３０、ＣＰＵ９０及びＤＭＡ制御部１４０は、バス１５０に接続される。
【００２５】
操作部７０は、タッチパネル７１、テンキー（図示せず）及びスタートキー（図示せず）等を備える。タッチパネル７１は、複数の機能に関するキーを表示する。機能は、例えば、コピー機能、プリンター機能、ファクシミリ機能及びスキャン機能等である。タッチパネル７１に表示されたキーは、種々の機能のうちのいずれかを複合機１に実行させるために操作される。テンキーは、印刷部数等の数字を入力するために操作される。スタートキーは、印刷を実行させるために操作される。操作部７０は、いずれかのキーが操作されることにより、このキーが操作されたことを表す信号をＣＰＵ９０に供給（出力）する。
【００２６】
第１記憶部１００は、複数の機能それぞれに対応し、その対応する機能の起動に関する情報を記憶する。起動に関する情報は、複合機１の電源が投入される操作が行われた場合、及びスリープモードから復帰させる操作が行われた場合に、機能を起動させるために第１記憶部１００から読み出される情報である。その情報は、例えば、プログラム、及びそのプログラムで利用されるデータ等である。第１記憶部１００は、不揮発性の記憶部であり、例えば、ＮＡＮＤ型のメモリーである。
【００２７】
第２記憶部１１０は、複数の機能を起動させる場合、及び複数の機能が起動している場合に、情報を記憶する。その情報は、例えば、第１記憶部１００から転送されたものである。第２記憶部１１０は、揮発性の記憶部であり、例えば、ＲＡＭ（Ｒａｎｄｏｍ  Ａｃｃｅｓｓ  Ｍｅｍｏｒｙ）である。このため、複合機１の電源がオフにされた場合、又は複合機１がスリープモードに移行した場合、後述する記憶制御部９４によって第２記憶部１１０に記憶される情報が第１記憶部１００に転送されるため、第２記憶部１１０には、情報が記憶されない。
【００２８】
通信部１２０は、データが伝送される公衆通信回線（図示せず）に接続される。具体的な一例としては、通信部１２０は、ファクシミリに関するデータ伝送を実行する。
インターフェイス部１３０は、データが伝送されるＬＡＮ（Ｌｏｃａｌ  Ａｒｅａ  Ｎｅｔｗｏｒｋ）（図示せず）に接続される。具体的には、インターフェイス部１３０は、ＬＡＮに接続されたパーソナルコンピューター（図示せず）等から送信されたデータ（一例として、画像データ）を受け付けると共に、ＬＡＮに接続されたパーソナルコンピューターに対してデータ（一例として、画像データ）を送信する。
【００２９】
ＣＰＵ９０は、原稿搬送部１０、原稿読取部２０、エンジン部３、操作部７０等を制御する。また、ＣＰＵ９０は、検出部９１、特定部９２、起動制御部９３及び記憶制御部９４を備える。
【００３０】
検出部９１は、複数の機能が起動していないときに複数の機能それぞれに対応する起動トリガーが発生すると、発生した起動トリガーを検出する。すなわち、複合機１の電源がオフになっている場合、又は複合機１がスリープモードになっている場合には、各機能に関連する各部（原稿搬送部１０、原稿読取部２０及びエンジン部３等）は、起動していない。このような場合に、各機能を実行させるための操作等が行われた場合には、起動トリガーは発生する。具体的には、起動トリガーは、タッチパネル７１に表示される、機能に関するキーが操作された場合に発生する。一例として、タッチパネル７１に表示されるコピー機能に関するキー（コピーを行うためのキー）が操作された場合に、起動トリガーが発生する。また、起動トリガーは、通信部１２０によってデータを受信した場合、及び、インターフェイス部１３０によってデータを受信した場合にも発生する。
【００３１】
特定部９２は、検出部９１によって検出された起動トリガーに対応する機能を特定する。例えば、タッチパネル７１に表示されるコピー機能に関するキーが操作されることに基づいて起動トリガーが発生した場合には、特定部９２は、コピー機能を特定する。また、タッチパネル７１に表示されるスキャン機能に関するキーが操作されることに基づいて起動トリガーが発生した場合には、特定部９２は、スキャン機能を特定する。また、通信部１２０よってファクシミリのデータを受信した場合には、特定部９２は、ファクシミリ機能を特定する。また、インターフェイス部１３０によってデータを受信した場合には、特定部９２は、プリンター機能を特定する。
【００３２】
起動制御部９３は、第２記憶部１１０に記憶された情報に基づいて機能を起動させる。すなわち、起動制御部９３は、特定部９２にて特定された機能に関する情報がＤＭＡ制御部１４０（詳細は後述）によって第２記憶部１１０に転送された場合には、全ての情報が第２記憶部１１０に転送され終わるのを待たずに、記憶された情報に基づいて各部（原稿搬送部１０、原稿読取部２０、エンジン部３）を起動させる。一例として、特定部９２によってファクシミリ機能が特定されることに基づいて、ＤＭＡ制御部１４０によってまずエンジン部３に関する情報が第２記憶部１１０に記憶された場合には、起動制御部９３は、その情報に基づいて直ちにエンジン部３を起動させる。これにより、ファクシミリ機能が起動する。その後、原稿搬送部１０及び原稿読取部２０に関する情報がＤＭＡ制御部１４０によって第２記憶部１１０に記憶された場合には、起動制御部９３は、それらの情報に基づいて原稿搬送部１０及び原稿読取部２０を起動させる。
【００３３】
記憶制御部９４は、複数の機能が停止する場合に、第２記憶部１１０に記憶される情報を読み出して第１記憶部１００に記憶させる。すなわち、複合機１の電源がオフにされることにより、又は複合機１がスリープモードに移行することにより、複合機１の各部が停止する場合には、記憶制御部９４は、第２記憶部１１０に記憶される情報を第１記憶部１００に転送する。
【００３４】
ＤＭＡ制御部１４０は、特定部９２によって特定された機能に対応する情報を、その特定された機能に対応する情報を除く他の情報よりも優先させて第１記憶部１００から読み出して第２記憶部１１０にＤＭＡ転送（バスート転送）し、ＤＭＡ転送した情報を第２記憶部１１０に記憶させる。
例えば、ＤＭＡ制御部１４０は、特定部９２によってコピー機能が特定された場合には、コピー機能を実行するための原稿搬送部１０、原稿読取部２０及びエンジン部３に関する情報を優先させて第１記憶部１００から第２記憶部１１０にＤＭＡ転送する。また、ＤＭＡ制御部１４０は、特定部９２によってスキャン機能が特定された場合には、スキャン機能を実行するための原稿搬送部１０及び原稿読取部２０に関する情報を、エンジン部３に関する情報よりも優先させて、第１記憶部１００から第２記憶部１１０にＤＭＡ転送する。また、ＤＭＡ制御部１４０は、特定部９２によってファクシミリ機能が特定された場合には、通信部１２０によって受信されたデータに基づく画像を用紙Ｔに形成するために、エンジン部３に関する情報を、原稿搬送部１０及び原稿読取部２０に関する情報よりも優先させて、第１記憶部１００から第２記憶部１１０にＤＭＡ転送する。また、ＤＭＡ制御部１４０は、特定部９２によってプリンター機能が特定された場合には、インターフェイス部１３０によって受信されたデータに基づく画像を用紙Ｔに形成するために、エンジン部３に関する情報を、原稿搬送部１０及び原稿読取部２０に関する情報よりも優先させて、第１記憶部１００から第２記憶部１１０にＤＭＡ転送する。
【００３５】
次に、複合機１の電源が投入された場合及び複合機１がスリープモードから復帰した場合の複合機１の動作について説明する。図３は、複合機１の動作について説明するためのフローチャートである。
【００３６】
ステップＳＴ１において、検出部９１は、起動トリガーを検出したか否かを判断する。起動トリガーを検出しない場合（Ｎｏ）には、ステップＳＴ１の判断が再度行われる。起動トリガーを検出した場合（Ｙｅｓ）には、処理は、ステップＳＴ２に進む。
【００３７】
ステップＳＴ２において、特定部９２は、検出部９１によって検出された起動トリガーに対応する機能を特定する。
【００３８】
ステップＳＴ３において、ＤＭＡ制御部１４０は、ステップＳＴ２において特定された機能に対応する情報を、特定部９２によって特定されていない他の機能に対応する情報よりも優先させて、第１記憶部１００にから第２記憶部１１０にＤＭＡ転送する。
【００３９】
ステップＳＴ４において、起動制御部９３は、第２記憶部１１０にＤＭＡ転送された情報に基づいて機能を起動させる。
【００４０】
以上説明したように、本実施形態の複合機１によれば、以下の効果が奏される。
すなわち、本実施形態の複合機１は、複数の機能が起動していないときに複数の機能それぞれに対応する起動トリガーが発生すると、発生した起動トリガーを検出する検出部９１と、検出部９１によって検出された起動トリガーに対応する機能を特定する特定部９２と、特定部９２によって特定された機能に対応する情報を、その特定された機能に対応する情報を除く他の情報よりも優先させて第１記憶部１００から読み出して第２記憶部１１０にＤＭＡ転送し、ＤＭＡ転送した情報を第２記憶部１１０に記憶させるＤＭＡ制御部１４０と、第２記憶部１１０に記憶された情報に基づいて機能を起動させる起動制御部９３と、を備える。ここで、起動トリガーは、タッチパネル７１に表示されるキーが操作された場合、通信部１２０によってデータを受信した場合、及び、インターフェイス部１３０によってデータを受信した場合に発生する。
【００４１】
複合機１は、その時点で最も必要とされる機能に基づいて起動トリガーを発生させるため、その起動トリガーに対応する機能を起動させることにより、他の機能の起動よりも優先させることができる。したがって、複合機１は、その時点で最も必要な機能を直ぐに実行させることができる。また、複合機１は、第１記憶部１００から第２記憶部１１０へ情報を転送する場合にＤＭＡ転送を行うため、情報をより速く第１記憶部１００から第２記憶部１１０へ転送することができる。
【００４２】
また、複合機１は、複数の機能が停止する場合に、記憶制御部９４によって第２記憶部１１０に記憶される情報を読み出して第１記憶部１００に記憶させる。これにより、複合機１は、機能に関する情報が消去されてしまうことを防ぐことができる。
【００４３】
なお、本発明は、上述した実施形態に限定されることはなく、種々の形態で実施することができる。
本実施形態の複合機１は、カラー複合機であるが、この形態に限定されることはなく、モノクロ複合機であってもよい。
また、本実施形態の複合機１は、中間転写ベルト４８を介して用紙Ｔにトナー画像を転写している（間接転写方式）が、この形態に限定されることはなく、感光体ドラムに形成されたトナー画像を直接に用紙Ｔに転写してもよい（直接転写方式）。
また、本実施形態の複合機１は、用紙Ｔの片面を印刷する構成であるが、これに限定されることはなく、用紙の両面を印刷する構成であってもよい。
【００４４】
また、本発明の画像形成装置は、上述した複合機１に限定されることはない。すなわち、本発明の画像形成装置は、コピー機、ファクシミリ又はプリンターであってもよい。
また、本発明の画像形成装置によってトナー画像が定着される被画像形成媒体は用紙Ｔに限定されることはなく、例えば、ＯＨＰ（オーバーヘッドプロジェクター）シート等のフィルムシートであってもよい。
【符号の説明】
【００４５】
１…複合機（画像形成装置）、３…エンジン部、１０…原稿搬送部、２０…原稿読取部、９０…ＣＰＵ、９１…検出部、９２…特定部、９３…起動制御部、９４…記憶制御部、１００…第１記憶部、１１０…第２記憶部、１２０…通信部、１３０…インターフェイス部、１４０…ＤＭＡ制御部
【図１】
2013136168.tif 000003
【図２】
2013136168.tif 000004
【図３】
2013136168.tif 000005